(57)【要約】【課題】盗難の防止を図りつつ、メンテナンス性を向上させることができるリモコン装置を提供すること。【解決手段】実施形態に係るリモコン装置は、リモコン本体と、保持部と、固定部とを備える。リモコン本体は、機器を遠隔制御する。保持部は、壁面に固定されるとともに、リモコン本体を着脱可能に保持する。固定部は、リモコン本体および保持部の一方側に設けられる係止部と、他方側に設けられて係止部が係止可能な被係止部とを含み、係止部が被係止部に係止されることでリモコン本体を保持部に対して固定する。また、固定部は、係止部と被係止部との係止部分がリモコン本体の正面視において隠れる位置に配置されるように形成される。【選択図】図１５
2019178591.tif 000002
【特許請求の範囲】
【請求項１】
機器を遠隔制御するリモコン本体と、
壁面に固定されるとともに、前記リモコン本体を着脱可能に保持する保持部と、
前記リモコン本体および前記保持部の一方側に設けられる係止部と、他方側に設けられて前記係止部が係止可能な被係止部とを含み、前記係止部が前記被係止部に係止されることで前記リモコン本体を前記保持部に対して固定する固定部と
を備え、
前記固定部は、
前記係止部と前記被係止部との係止部分が前記リモコン本体の正面視において隠れる位置に配置されるように形成されること
を特徴とするリモコン装置。
【請求項２】
前記係止部は、
係止爪と、
前記係止爪を支持する支柱部と
を備え、
前記係止爪は、
前記支柱部の弾性変形により前記被係止部に係止されること
を特徴とする請求項１に記載のリモコン装置。
【請求項３】
前記固定部は、
前記リモコン本体の下方に配置されること
を特徴とする請求項１または２に記載のリモコン装置。
【請求項４】
前記係止部は、
前記リモコン本体の正面側から、前記係止部と前記被係止部との係止を解除する解除用工具によって押圧されて後方へ撓むことで、前記被係止部との係止が解除されること
を特徴とする請求項１〜３のいずれか一つに記載のリモコン装置。
【請求項５】
前記固定部は、
前記係止部を有する第１固定部材と、
前記被係止部と、前記解除用工具が挿通可能なスリットとを有する第２固定部材と
を備え、
前記係止部は、
前記スリットに挿通された前記解除用工具によって押圧されることで、前記被係止部との係止が解除されること
を特徴とする請求項４に記載のリモコン装置。
【請求項６】
前記スリットは、
前記リモコン本体の正面側から後方へ向かうにつれて幅が狭くなるテーパ状に形成されること
を特徴とする請求項５に記載のリモコン装置。
【請求項７】
前記係止部は、
前記リモコン本体の正面側から前記解除用工具によって押圧されて後方へ撓んで前記被係止部との係止が解除されるとき、後方に位置する前記壁面に当接するように形成されること
を特徴とする請求項４〜６のいずれか一つに記載のリモコン装置。
【請求項８】
前記固定部は、
前記リモコン本体および前記保持部とは別体に構成されること
を特徴とする請求項１〜７のいずれか一つに記載のリモコン装置。
【請求項９】
前記固定部は、
前記リモコン本体および前記保持部に装着されて前記係止部が前記被係止部に係止されるとともに、前記係止部と前記被係止部との係止が解除された状態のとき、前記リモコン本体および前記保持部の少なくともいずれかへの装着が維持されること
を特徴とする請求項８に記載のリモコン装置。
【発明の詳細な説明】
【技術分野】
【０００１】
開示の実施形態は、リモコン装置に関する。
【背景技術】
【０００２】
従来、トイレ室には、便器の洗浄を行う便器洗浄装置や洗浄水を使用者の身体へ噴出して局部を洗浄する便座装置などの機器を遠隔制御するリモコン装置が設置される。また、リモコン装置が、例えば駅やホテル等の公共施設のトイレ室に設置される場合、盗難防止のため、リモコン装置とトイレ室の壁面とをネジによって締結固定する技術が提案されている（例えば特許文献１参照）。
【先行技術文献】
【特許文献】
【０００３】
【特許文献１】特開２００５−２０４２７０号公報
【発明の概要】
【発明が解決しようとする課題】
【０００４】
しかしながら、従来技術においては、例えばリモコン装置の電池交換などのメンテナンス作業の際、ネジを着脱する作業が作業者にとって負担になっていた。このように、従来技術には、リモコン装置のメンテナンス性の向上という点で改善の余地があった。
【０００５】
なお、かかるメンテナンス性の向上は、上記したトイレ室に設置されるリモコン装置に限らず、その他各種の機器を遠隔制御するリモコン装置にも求められていた。
【０００６】
実施形態の一態様は、盗難の防止を図りつつ、メンテナンス性を向上させることができるリモコン装置を提供することを目的とする。
【課題を解決するための手段】
【０００７】
実施形態の一態様に係るリモコン装置は、機器を遠隔制御するリモコン本体と、壁面に固定されるとともに、前記リモコン本体を着脱可能に保持する保持部と、前記リモコン本体および前記保持部の一方側に設けられる係止部と、他方側に設けられて前記係止部が係止可能な被係止部とを含み、前記係止部が前記被係止部に係止されることで前記リモコン本体を前記保持部に対して固定する固定部とを備え、前記固定部は、前記係止部と前記被係止部との係止部分が前記リモコン本体の正面視において隠れる位置に配置されるように形成されることを特徴とする。
【０００８】
これにより、例えばリモコン本体の盗難の防止を図ることができる。すなわち、係止部と被係止部との係止部分が隠れる位置に配置されるため、リモコン本体が保持部にどのような構造で固定されているのか分かりにくくすることができる。言い換えると、リモコン本体の保持部からの取り外し方が分かりにくい構成とすることができ、よってリモコン本体の盗難の防止を図ることができる。
【０００９】
また、固定部にあっては、係止部が被係止部に係止されることでリモコン本体を保持部に対して固定していることから、例えばリモコン本体を保持部から取り外す際、係止部と被係止部との係合を解除するだけでよい。そのため、例えばメンテナンス作業における作業者の負担を、ネジを着脱する作業がある場合に比べて軽減でき、よってリモコン装置のメンテナンス性を向上させることができる。
【００１０】
また、前記係止部は、係止爪と、前記係止爪を支持する支柱部とを備え、前記係止爪は、前記支柱部の弾性変形により前記被係止部に係止されることを特徴とする。
【００１１】
これにより、簡易な構成でありながら、係止部と被係止部とを確実に係止させることができる。
【００１２】
また、前記固定部は、前記リモコン本体の下方に配置されることを特徴とする。
【００１３】
これにより、固定部が使用者から見えにくい位置に配置されることとなるため、例えば、リモコン装置の意匠性を損なわないようにすることができる。
【００１４】
また、前記係止部は、前記リモコン本体の正面側から、前記係止部と前記被係止部との係止を解除する解除用工具によって押圧されて後方へ撓むことで、前記被係止部との係止が解除されることを特徴とする。
【００１５】
これにより、リモコン装置のメンテナンス性をより向上させることができる。すなわち、例えばリモコン装置の周辺には、紙巻器や手すりなどが設置されるため、メンテナンスの作業スペースが限られる場合がある。かかる場合であっても、係止部が上記のように構成されるため、作業者は、例えばリモコン本体の正面側から解除用工具を用いて係止の解除を行うことが可能となる、言い換えると、紙巻器の設置位置などの影響を受けずに係止の解除を行うことが可能となり、よってリモコン装置のメンテナンス性をより向上させることができる。
【００１６】
また、前記固定部は、前記係止部を有する第１固定部材と、前記被係止部と、前記解除用工具が挿通可能なスリットとを有する第２固定部材とを備え、前記係止部は、前記スリットに挿通された前記解除用工具によって押圧されることで、前記被係止部との係止が解除されることを特徴とする。
【００１７】
このように、第２固定部がスリットを有することで、例えば、解除用工具を挿入すべき位置が作業者にとって分かり易くなり、結果としてメンテナンス性をより一層向上させることができる。
【００１８】
また、前記スリットは、前記リモコン本体の正面側から後方へ向かうにつれて幅が狭くなるテーパ状に形成されることを特徴とする。
【００１９】
これにより、解除用工具は、テーパ状のスリットによって案内されつつ、係止部へ確実に到達して係止部を押圧することが可能となり、よって作業者は、係止部と被係止部との係止を容易に解除することができる。
【００２０】
また、前記係止部は、前記リモコン本体の正面側から前記解除用工具によって押圧されて後方へ撓んで前記被係止部との係止が解除されるとき、後方に位置する前記壁面に当接するように形成されることを特徴とする。
【００２１】
これにより、係止部において、後方への移動が規制されることから、係止部が解除用工具によって後方へ過度に撓んでしまうことを抑制することができる。
【００２２】
また、前記固定部は、前記リモコン本体および前記保持部とは別体に構成されることを特徴とする。
【００２３】
これにより、リモコン装置の汎用性を向上させることができる。すなわち、例えば、リモコン装置が一般の住宅に設置される場合、盗難の可能性が低いことから、リモコン本体を保持部に固定しなくてもよいことがある。そこで、固定部をリモコン本体等とは別体とすることで、例えば公共施設等では固定部を用いてリモコン本体１０の固定が行われる一方、住宅では固定部によるリモコン本体の固定が行われないようにすることが可能となる。これにより、例えば公共施設用と住宅用とでリモコン本体および保持部を共用化させることができ、リモコン装置の汎用性を向上させることができる。
【００２４】
また、前記固定部は、前記リモコン本体および前記保持部に装着されて前記係止部が前記被係止部に係止されるとともに、前記係止部と前記被係止部との係止が解除された状態のとき、前記リモコン本体および前記保持部の少なくともいずれかへの装着が維持されることを特徴とする。
【００２５】
これにより、固定部は、係止部と被係止部との係止が解除されてリモコン本体と保持部とが固定されていない状態のときであっても、リモコン本体や保持部へ装着されたままとなることから、固定部の紛失を抑制することができる。
【発明の効果】
【００２６】
実施形態の一態様によれば、リモコン装置において、盗難の防止を図りつつ、メンテナンス性を向上させることができる。
【図面の簡単な説明】
【００２７】
【図１】図１は、第１の実施形態に係るリモコン装置を備えるトイレシステムを示す全体図である。
【図２】図２は、リモコン装置の正面図である。
【図３】図３は、リモコン装置の背面図である。
【図４】図４は、リモコン装置の分解斜視図である。
【図５】図５は、第１固定部の斜視図である。
【図６】図６は、第１固定部の正面図である。
【図７】図７は、図６のVII−VII線断面図である。
【図８】図８は、第２固定部の正面側の斜視図である。
【図９】図９は、第２固定部の背面側の斜視図である。
【図１０】図１０は、第２固定部の正面図である。
【図１１】図１１は、図１０のXI−XI線断面図である。
【図１２】図１２は、第２固定部がリモコン本体へ装着された状態を示す拡大断面図である。
【図１３】図１３は、第１固定部が保持部へ装着された状態を示す拡大背面図である。
【図１４】図１４は、第１固定部と第２固定部との組み付け途中の状態を示す拡大断面図である。
【図１５】図１５は、第１固定部と第２固定部とが組み付けられた状態を示す拡大断面図である。
【図１６】図１６は、リモコン本体の保持部からの取り外しを説明する図である。
【図１７】図１７は、第１固定部が保持部へ装着された状態を示す拡大背面図である。
【図１８】図１８は、第１変形例に係る第１固定部が保持部へ装着された状態を示す拡大背面図である。
【図１９】図１９は、第２変形例に係る第１固定部の斜視図である。
【図２０】図２０は、第２の実施形態に係るリモコン装置の正面図である。
【図２１】図２１は、リモコン装置の背面図である。
【図２２】図２２は、第１固定部の正面図である。
【図２３】図２３は、図２２のXXIII−XXIII線断面図である。
【図２４】図２４は、第２固定部の背面側の斜視図である。
【図２５】図２５は、第１固定部と第２固定部との組み付け途中の状態を示す拡大断面図である。
【図２６】図２６は、第１固定部と第２固定部とが組み付けられた状態を示す拡大断面図である。
【図２７】図２７は、リモコン本体の保持部からの取り外しを説明する図である。
【発明を実施するための形態】
【００２８】
以下、添付図面を参照して、本願の開示するリモコン装置の実施形態を詳細に説明する。なお、以下に示す実施形態によりこの発明が限定されるものではない。
【００２９】
（第１の実施形態）
図１は、第１の実施形態に係るリモコン装置を備えるトイレシステムを示す全体図である。なお、図１および図２以降に示す図は、いずれも模式図である。従って、図１等に示される各構成要素の大きさや形状等は必ずしも正確ではない。また、各図では、理解の便宜のため、構成要素の一部を省略したり、誇張して示したりする場合がある。
【００３０】
図１に示すように、トイレシステム１は、トイレ装置２と、リモコン装置３とを備える。
【００３１】
トイレ装置２は、便器５と、便器洗浄装置６と、便座装置７とを備える。便器５は、例えば洋式の水洗大便器であり、トイレ室Ｒに配置される。なお、ここでは、床置き式の便器５を示したが、便器５は、壁掛け式であってもよい。
【００３２】
便器洗浄装置６は、便器５の洗浄を行う機器である。例えば、便器洗浄装置６は、便器５に洗浄水を供給する通水路６ａと、通水路６ａに接続される第１本体部６ｂとを備える。例えば、第１本体部６ｂは、通水路６ａから便器５への給水および止水をリモコン装置３の遠隔制御に応じて切り替えることで、便器５の洗浄を行うことができる。
【００３３】
便座装置７は、便器５の上部に設置される第２本体部７ａと、第２本体部７ａに対して開閉自在に軸支された便座７ｂとを備え、使用者の局部を洗浄する機能を有する衛生洗浄装置である。例えば、第２本体部７ａは、リモコン装置３の遠隔制御に応じて、図示しない洗浄ノズルを制御し、洗浄水を使用者の身体へ噴出して局部を洗浄することができる。
【００３４】
なお、上記では、便座装置７は、衛生洗浄機能を有するようにしたが、これに限られず、衛生洗浄機能に代えて、あるいは加えて、便座７ｂに座った使用者のおしりなどに温風を吹き付けて乾燥させる乾燥機能や、便座７ｂの着座面を適温に温める便座暖房機能などを有していてもよい。
【００３５】
リモコン装置３は、上記したように、便器洗浄装置６や便座装置７などの機器を遠隔制御する装置である。なお、上記では、リモコン装置３は、便器洗浄装置６および便座装置７の両方を遠隔制御するようにしたが、これに限定されるものではなく、例えば便器洗浄装置６および便座装置７の一方を制御するようにしてもよい。
【００３６】
リモコン装置３は、例えば、トイレ室Ｒの壁面Ｗに設置される。なお、図１に示す例において、リモコン装置３は、便座７ｂに着座した使用者から見て左側方の壁面Ｗに設置されるが、設置される位置はこれに限定されるものではない。
【００３７】
なお、図１では、説明の便宜のために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。
【００３８】
また、以下のリモコン装置３の説明では、例えば壁面Ｗに設置されたときの状態を基準として、直交座標系におけるＸ軸正方向を「右方」、Ｘ軸負方向を「左方」、Ｙ軸正方向を「前方」あるいは「正面側」、Ｙ軸負方向を「後方」、Ｚ軸正方向を「上方」、Ｚ軸負方向を「下方」と記載する場合がある。
【００３９】
ところで、リモコン装置３は、例えば駅やホテルなど多くの人が利用する公共施設のトイレ室Ｒに設置される場合がある。かかる場合、従来技術にあっては、リモコン装置３とトイレ室Ｒと壁面Ｗとをネジによって締結固定することで、リモコン装置３の盗難防止を図っていた。
【００４０】
しかしながら、上記のようにリモコン装置３がネジで壁面Ｗに締結固定されると、例えばリモコン装置３の電池交換などのメンテナンス作業が煩雑になるおそれがあった。すなわち、リモコン装置３は、作業者によってネジが一旦外されて電池交換がなされ、その後、ネジで再び壁面Ｗへ締結固定される。そのため、ネジを着脱する作業が作業者にとって煩わしく負担になっていた。また、トイレ装置２およびリモコン装置３が設置される台数が比較的多い公共施設では、台数の増加に伴ってメンテナンス作業の負担も大きくなっていた。
【００４１】
そこで、本実施形態に係るリモコン装置３にあっては、盗難の防止を図りつつ、メンテナンス性を向上させることができる構成とした。以下、かかる構成について、図２以降を参照して詳しく説明する。
【００４２】
図２はリモコン装置３の正面図であり、図３はリモコン装置３の背面図である。また、図４は、リモコン装置３の分解斜視図である。図２〜図４に示すように、リモコン装置３は、リモコン本体１０と、保持部２０と、固定部３０とを備える。
【００４３】
リモコン本体１０は、筐体１１と、操作ボタン１２と、保持用凹部１３と、電池収容部１４と、本体側凹部１５とを備え、便器洗浄装置６や便座装置７などの機器を遠隔制御する。
【００４４】
筐体１１は、例えば直方体状に形成され、内部には図示しない制御用の基板などが収容される。なお、図２などに示す筐体１１の形状は、あくまでも例示であって限定されるものではなく、例えば円形状などその他の形状であってもよい。また、以下では、筐体１１において、トイレ装置２の使用者やメンテナンスの作業者側に向いている正面側の面を「操作面１１ａ」、操作面１１ａとは反対側の面を「背面１１ｂ」と記載する場合がある。
【００４５】
操作ボタン１２は、図２に示すように、筐体１１の操作面１１ａの適宜位置に配置され、使用者による操作を受け付ける。例えば、操作ボタン１２は、便器洗浄用ボタンや局部洗浄用ボタンなどを含み、使用者によって操作されたボタンに応じて便器洗浄装置６や便座装置７へ駆動信号が出力され、便器洗浄や局部洗浄などが行われる。なお、操作ボタン１２の配置や形状は、図２に示す例に限定されるものではない。
【００４６】
保持用凹部１３は、図４に示すように、筐体１１の背面１１ｂの中央付近に形成される。例えば、保持用凹部１３は、後述する保持部２０の保持用凸部２３に引っ掛けることができる形状の凹部である。
【００４７】
電池収容部１４は、図３，４に示すように、筐体１１の背面１１ｂに設けられる。例えば、電池収容部１４は、基板などで必要となる電力を供給する電池（図示せず）を収容する。なお、電池収容部１４が設けられる位置は、図示の例に限定されるものではない。
【００４８】
本体側凹部１５は、図４に示すように、筐体１１の背面１１ｂであって、筐体１１の下端部１１ｃ付近に形成される窪みである。詳しくは、本体側凹部１５は、固定部３０（正確には後述する第２固定部６０）が装着可能な形状の窪みである。また、例えば、本体側凹部１５は、窪みを形成する側壁のうち、下端部１１ｃ側の側壁が形成されない形状とされる。
【００４９】
上記した本体側凹部１５には、本体側挿入穴１６と、本体側突起部１７とが形成される。例えば、本体側挿入穴１６は、Ｙ軸正方向である前方（正面側）へ向けて穿設される穴である。例えば、本体側突起部１７は、Ｙ軸負方向である後方へ向けて立設される薄板状の部位である。かかる本体側挿入穴１６には第２固定部６０の突起部６２（後述。図８参照）が挿入されるとともに、本体側突起部１７は第２固定部６０の挿入穴６３（後述。図８参照）に挿入されるが、これについては後に説明する。
【００５０】
保持部２０は、リモコン本体１０を着脱可能に保持する部材（ハンガー）である。保持部２０は、図４に示すように、例えば正面視において矩形状で、かつ薄板状に形成される。なお、保持部２０において、リモコン本体１０の背面１１ｂと対向して配置されるとともにリモコン本体１０が保持される面（Ｙ軸正方向側の面）を「保持面２０ａ」、保持面２０ａとは反対側の面を「背面２０ｂ」と記載する場合がある。
【００５１】
保持部２０は、ネジ挿通孔２１と、保持用凸部２３と、保持部側凹部２４とを備える。ネジ挿通孔２１は、保持部２０の適宜位置に複数（例えば３個）形成される。かかるネジ挿通孔２１には、図示しないネジがＹ軸正側から負方向へ向けて挿通され、これにより、保持部２０は壁面Ｗ（図１参照）に固定される。なお、ネジ挿通孔２１が形成される位置や数は、図示の例に限定されるものではない。
【００５２】
保持用凸部２３は、保持部２０において、リモコン本体１０の保持用凹部１３と対応する位置に形成される。保持用凸部２３は、保持面２０ａから前方（正面側）へ向けて突出するように形成される凸部であり、かかる保持用凸部２３には、上記したように保持用凹部１３が引っ掛けられる。
【００５３】
従って、保持部２０は、保持用凸部２３にリモコン本体１０の保持用凹部１３が引っ掛けられることで、リモコン本体１０が取り付けられて保持することができる。一方、保持用凸部２３に引っ掛けられたリモコン本体１０の保持用凹部１３が保持用凸部２３から抜かれることで、リモコン本体１０が保持部２０から取り外される。このように、保持部２０は、リモコン本体１０を着脱可能に保持する。
【００５４】
保持部側凹部２４は、保持部２０において本体側凹部１５と対応する位置に形成される。具体的には、保持部側凹部２４は、保持部２０の背面２０ｂであって、保持部２０の下端部２０ｃ付近に形成される窪みである。詳しくは、保持部側凹部２４は、固定部３０（正確には後述する第１固定部４０）が装着可能な形状の窪みである。また、例えば、保持部側凹部２４は、窪みを形成する側壁のうち、下端部２０ｃ側の側壁が形成されない形状とされる。
【００５５】
上記した保持部側凹部２４には、保持部側被係止部２５が形成される。例えば、保持部側被係止部２５は、保持部側凹部２４において左右両側にそれぞれ設けられる段差部分であり、かかる段差部分に第１固定部４０の装着用係止部４７（後述。図５参照）が係止されるが、これについては後に説明する。
【００５６】
固定部３０は、リモコン本体１０を保持部２０に対して固定する部材であり、リモコン本体１０および保持部２０とは別体に構成される。また、固定部３０は、図２に示すように、リモコン本体１０の下方に配置される。このように、本実施形態に係る固定部３０にあっては、使用者から見えにくい位置に配置されることで、リモコン装置３の意匠性を損なわないようにすることができる。
【００５７】
上記した固定部３０は、図４に示すように、第１固定部４０と、第２固定部６０とを備える。先ず、第１固定部４０について図５〜図７を参照して説明する。図５は、第１固定部４０の斜視図である。また、図６は第１固定部４０の正面図であり、図７は図６のVII−VII線断面図である。
【００５８】
図５〜図７に示すように、第１固定部４０は、基部４１と、係止部４２と、ガイド溝部４５と、装着用係止部４７とを備え、可撓性を有する材料（例えば樹脂など）を用いて製作される。
【００５９】
基部４１は、例えば直方体状で、かつ薄板状に形成される部位である。また、基部４１の中央付近には、開口部５０が形成される。
【００６０】
係止部４２は、後述する第２固定部６０の被係止部６６（図９参照）と係止する部位であり、具体的にはスナップフィットである。より具体的には、係止部４２は、係止爪４３と、支柱部４４とを備え、上記した基部４１の開口部５０の内側に位置するように形成される。
【００６１】
係止爪４３は、図７などに示すように、前方（Ｙ軸正方向）へ向かって突設される。また、係止爪４３は、後方（Ｙ軸負方向）へ延在される。なお、かかる係止爪４３の後方端４３ａは、支柱部４４が撓むときに、後方に位置する壁面Ｗに当接するが、これについては図１６を参照して後述する。
【００６２】
支柱部４４は、上記した係止爪４３を支持する。例えば、支柱部４４は、基部４１の開口部５０において下方（Ｚ軸負方向）側の周縁から上方（Ｚ軸正方向）へ向けて立設され、支柱部４４の先端に係止爪４３が形成される。なお、上記したように、係止部４２を含む第１固定部４０は、可撓性を有する材料を用いて製作されることから、支柱部４４は、例えば、前後方向に撓むことが可能、言い換えると、前後方向に弾性変形可能とされる。
【００６３】
ガイド溝部４５は、後述するように第２固定部６０と第１固定部４０とが組み付けられる際に、第２固定部６０のガイド用突出部６７（図８参照）によって案内される部位である。具体的には、ガイド溝部４５は、基部４１から連続するとともに、基部４１に対して前方（Ｙ軸正方向）に位置するように形成される。
【００６４】
ガイド溝部４５は、図６に示すように、正面視において略Ｕ字状に形成される。また、ガイド溝部４５は、図７に示すように、基部４１との間に空隙４５ａが形成され、かかる空隙４５ａ部分が、第２固定部６０のガイド用突出部６７（図８参照）によって案内される溝として機能する。なお、上記では、ガイド溝部４５は、正面視において略Ｕ字状に形成されるようにしたが、これに限定されるものではなく、例えば正面視において略コの字状などその他の種類の形状に形成されてもよい。
【００６５】
装着用係止部４７は、上記した保持部側被係止部２５（図４参照）と係止する部位であり、具体的にはスナップフィットである。より具体的には、装着用係止部４７は、図５および図６に示すように、基部４１の上端部４１ａにおいて左右両側にそれぞれ設けられる。詳しくは、装着用係止部４７は、係止爪４８と、支柱部４９とを備える。
【００６６】
図６に示すように、左側の係止爪４８は左方へ（Ｘ軸負方向）へ向かって突設される一方、右側の係止爪４８は右方へ（Ｘ軸正方向）へ向かって突設される。すなわち、左右の係止爪４８は互いに、左右方向（Ｘ軸方向）における外側へ向かって突設される。なお、左右の係止爪４８は、上記した左右方向における外側へ突設するものに限られず、例えば、左右方向における内側へ向かって突設するなど、その他の方向へ突設するものであってもよい。
【００６７】
支柱部４９は、上記した係止爪４８を支持する。例えば、支柱部４９は、基部４１の上端部４１ａから上方（Ｚ軸正方向）へ向けて立設され、支柱部４９の先端に係止爪４８が形成される。なお、上記したように、装着用係止部４７は、係止部４２と同様に、可撓性を有する材料を用いて製作されることから、支柱部４９は、例えば左右方向に撓むことが可能、言い換えると、左右方向に弾性変形可能とされる。
【００６８】
次に、第２固定部６０について図８〜図１１を参照して説明する。図８は第２固定部６０の正面側の斜視図であり、図９は第２固定部６０の背面側の斜視図である。また、図１０は第２固定部６０の正面図であり、図１１は図１０のXI−XI線断面図である。
【００６９】
図８〜図１０に示すように、第２固定部６０は、基部６１と、突起部６２と、挿入穴６３と、延在部６４と、被係止部６６（図８，１０で見えず）と、ガイド用突出部６７とを備える。なお、第２固定部６０は、例えば第１固定部４０と同様の樹脂などを用いて製作されるが、これに限定されるものではない。
【００７０】
基部６１は、例えば直方体状で、かつ薄板状に形成される部位である。突起部６２は、図８に示すように、基部６１の正面側の主面６１ａから前方（Ｙ軸正方向）へ向けて立設される。挿入穴６３は、基部６１の主面６１ａにおいて、後方（Ｙ軸負方向）へ向けて穿設される穴である。
【００７１】
延在部６４は、基部６１の下端部６１ｂから下方（Ｚ軸負方向）へ向けて延在する、略直方体状の部位である。かかる延在部６４には、スリット６５が形成される。スリット６５は、例えば正面視において鉛直方向に沿った長尺状の貫通孔である。なお、スリット６５の詳細な構成については、図１１などを参照して後述する。
【００７２】
被係止部６６は、第１固定部４０の係止部４２と係止する部位である。具体的には、図９に示すように、被係止部６６は、延在部６４の背面６４ａから後方（Ｙ軸負方向）へ向けて突出するように形成される段差部分である。また、被係止部６６は、延在部６４の背面６４ａにおいて、上記したスリット６５を挟むようにして形成される。言い換えると、被係止部６６は、スリット６５部分に形成されない。
【００７３】
上記のように構成された被係止部６６には、図１１において想像線で示すように、第１固定部４０の係止部４２（正確には係止爪４３）が係止され、これによってリモコン本体１０が保持部２０に対して固定される。なお、図１１では、係止部４２と被係止部６６との係止部分Ａを破線で囲んで示している。
【００７４】
ここで、スリット６５について説明する。上記した係止部４２と被係止部６６との係止は、後述するように、係止部４２が解除用工具Ｔ（図１１に想像線で示す）によって後方へ押圧されて撓むことで解除される。スリット６５は、かかる解除用工具Ｔが挿通可能な形状とされる。
【００７５】
また、スリット６５は、正面側（Ｙ軸正側）から後方（Ｙ軸負方向）へ向かうにつれて幅が狭くなるテーパ状に形成される。具体的には、スリット６５は、後方の幅Ｗ１が正面側の幅Ｗ２に比べて小さくなるように形成される（Ｗ１＜Ｗ２）。これにより、解除用工具Ｔは、テーパ状のスリット６５によって案内されつつ、係止部４２へ確実に到達して係止部４２を押圧することが可能となる。なお、解除用工具Ｔとしては、例えばマイナスドライバなどを用いることができるが、これに限定されるものではない。
【００７６】
第２固定部６０の説明を続ける。ガイド用突出部６７は、第２固定部６０と第１固定部４０（図５参照）とが組み付けられる際に、上記した第１固定部４０のガイド溝部４５（図５参照）に挿通されて案内する部位である。例えば、ガイド用突出部６７は、基部６１の下端部６１ｂから下方（Ｚ軸負方向）へ向けて突設されるとともに、延在部６４の左右両側にそれぞれ設けられる。
【００７７】
次に、第１固定部４０および第２固定部６０を用いた、リモコン本体１０の保持部２０に対する固定について説明する。なお、リモコン本体１０の保持部２０に対する固定は、図示しない作業者によって行われるが、これに限られない。
【００７８】
具体的には先ず、上記した第２固定部６０がリモコン本体１０へ装着されるとともに、第１固定部４０が保持部２０へ装着される。なお、装着される順番は、第１、第２固定部４０，６０のどちらが先でもよい。
【００７９】
図１２は、第２固定部６０がリモコン本体１０へ装着された状態を示す拡大断面図である。図１２に示すように、第２固定部６０は、リモコン本体１０の後方から本体側凹部１５へ向けて作業者によって移動させられ（矢印Ｄ１参照）、基部６１が本体側凹部１５に嵌合されてリモコン本体１０へ装着される。詳しくは、第２固定部６０は、挿入穴６３に本体側突起部１７が挿入されるとともに、突起部６２が本体側挿入穴１６に挿入される、正確には圧入されることで、リモコン本体１０へ装着される。
【００８０】
また、第２固定部６０がリモコン本体１０へ装着された状態のとき、スリット６５を有する延在部６４は、リモコン本体１０の下方に露出するように位置される。なお、被係止部６６は、スリット６５を挟むようにして形成されることから、リモコン本体１０の正面視において延在部６４に隠れて見えない位置とされる。
【００８１】
図１３は、第１固定部４０が保持部２０へ装着された状態を示す拡大背面図である。図１３に示すように、第１固定部４０は、保持部２０の下方から保持部側凹部２４へ向けて作業者によって移動させられる（矢印Ｄ２参照）。
【００８２】
ここで、保持部側凹部２４の下方の部位であって、第１固定部４０が挿入される部位の幅は、左右の装着用係止部４７の間隔より小さくなるように設定される。従って、第１固定部４０にあっては、保持部側凹部２４の下方の部位を移動させられる際、想像線で示すように、左右の装着用係止部４７の支柱部４９が互いに近づく方向に変形する。
【００８３】
続いて、第１固定部４０にあっては、保持部側凹部２４の下方の部位を通過すると、支柱部４９が元の形に戻り（弾性変形し）、係止爪４８が保持部側被係止部２５に係止されることで、保持部２０へ装着される。なお、保持部側被係止部２５は、保持部２０に装着された装着用係止部４７が上下方向（矢印Ｄ３参照）にスライド可能となるような位置に形成される。また、図１３では、装着用係止部４７が上方へスライドした状態を示している。
【００８４】
また、第１固定部４０が保持部２０へ装着された状態のとき、基部４１や係止部４２は、保持部２０の下方に露出するように位置される。
【００８５】
次に、保持部２０に装着された第１固定部４０と、リモコン本体１０に装着された第２固定部６０との組み付けについて、図１４および図１５を参照して説明する。図１４は、第１固定部４０と第２固定部６０との組み付け途中の状態を示す拡大断面図であり、また、図１５は、第１固定部４０と第２固定部６０とが組み付けられた状態を示す拡大断面図である。
【００８６】
図１４に示すように、第１固定部４０と第２固定部６０とは、上下方向へ相対的に移動させることで、組み付けられる。具体的には、例えば、第１固定部４０の正面側と第２固定部６０の背面側とが合わせられた状態で、第１固定部４０が第２固定部６０に向けて上方へ移動させられる（矢印Ｄ４参照）。なお、かかる移動の際、第１固定部４０は、上記したように、第２固定部６０のガイド用突出部６７（図８参照）に第１固定部４０のガイド溝部４５が挿通されて案内される。
【００８７】
そして、第１固定部４０が移動させられると、図１４に示すように、係止部４２の係止爪４３が被係止部６６に当接する。第１固定部４０がさらに移動させられると、係止部４２にあっては、想像線で示すように、係止爪４３が被係止部６６に押圧されて支柱部４４が後方（Ｙ軸負方向）に変形する。
【００８８】
続いて、第１固定部４０がさらに上方へ移動させられると、図１５に示すように、係止部４２にあっては、係止爪４３が被係止部６６を通過して支柱部４４が元の形に戻り（弾性変形し）、係止爪４３が被係止部６６に係止される。
【００８９】
このように、本実施形態に係る固定部３０にあっては、係止部４２が被係止部６６に係止されることで、リモコン本体１０を保持部２０に対して固定する。
【００９０】
また、上記したように、係止爪４３は、支柱部４４の弾性変形により被係止部６６に係止されることから、簡易な構成でありながら、係止部４２と被係止部６６とを確実に係止させることができる。
【００９１】
また、上記したように、被係止部６６はリモコン本体１０の正面視において延在部６４に隠れて見えない位置とされるため、係止部４２と被係止部６６との係止部分Ａは、リモコン本体１０の正面視において隠れる位置に配置されることとなる（図２および図１１参照）。
【００９２】
これにより、本実施形態に係るリモコン装置３にあっては、例えばリモコン本体１０の盗難の防止を図ることができる。すなわち、本実施形態においては、係止部分Ａが隠れる位置に配置されるため、リモコン本体１０が保持部２０にどのような構造で固定されているのか分かりにくくすることができる、言い換えると、リモコン本体１０の保持部２０からの取り外し方が分かりにくい構成とすることができ、よってリモコン本体１０の盗難の防止を図ることができる。
【００９３】
また、リモコン本体１０の保持部２０からの取り外し方が分かりにくいことから、リモコン本体１０からの電池の抜き取りなどの盗難も防止することが可能となる。
【００９４】
次に、リモコン本体１０の保持部２０からの取り外しについて図１６を参照して説明する。図１６は、リモコン本体１０の保持部２０からの取り外しを説明する図である。なお、図１６は、第１、第２固定部４０，６０などの拡大断面図である。
【００９５】
図１６に示すように、リモコン本体１０は、係止部４２と被係止部６６との係止が解除されることで、保持部２０から取り外される。具体的には先ず、作業者によって破線で示す解除用工具Ｔがリモコン本体１０の正面側からスリット６５に挿通され（矢印Ｄ５参照）、スリット６５の後方に位置される係止部４２に当接する。
【００９６】
続いて、解除用工具Ｔが後方へ移動させられると、係止部４２は、図１６に想像線で示すように、解除用工具Ｔによって押圧されて後方へ撓み、これによって被係止部６６との係止が解除される。
【００９７】
このとき、係止部４２（正確には係止爪４３の後方端４３ａ）は、後方に位置する壁面Ｗに当接するように形成される。これにより、係止部４２において、後方への移動が規制されることから、係止部４２が解除用工具Ｔによって後方へ過度に撓んでしまうことを抑制することができる。
【００９８】
そして、係止部４２と被係止部６６との係止が解除された状態で、第１固定部４０が作業者によって下方へ移動（スライド）させられる（矢印Ｄ６参照）。これにより、リモコン本体１０は、保持部２０に対して固定されない状態となることから、リモコン本体１０を保持部２０から取り外すことができる。
【００９９】
そして、例えばリモコン装置３の電池交換などのメンテナンス作業が行われる。このように、本実施形態に係る固定部３０にあっては、係止部４２が被係止部６６に係止されることでリモコン本体１０を保持部２０に対して固定していることから、リモコン本体１０を保持部２０から取り外す際、係止部４２と被係止部６６との係合を解除するだけでよい。そのため、本実施形態にあっては、例えばメンテナンス作業における作業者の負担を、ネジを着脱する作業がある場合に比べて軽減でき、よってリモコン装置３のメンテナンス性を向上させることができる。
【０１００】
また、本実施形態にあっては、解除用工具Ｔを用いた解除動作以外の動作（例えばリモコン本体１０を上下に動かすような動作等）では、係止部４２は撓まないため、係止部４２と被係止部６６との係止は解除されにくく、よってリモコン本体１０の盗難をより一層防止することができる。
【０１０１】
また、本実施形態に係る係止部４２にあっては、リモコン本体１０の正面側から解除用工具Ｔによって押圧されて後方へ撓むことで、被係止部６６との係止が解除されるようにした。これにより、リモコン装置３のメンテナンス性をより向上させることができる。すなわち、例えばリモコン装置３の周辺には、紙巻器や手すりなどが設置されるため、メンテナンスの作業スペースが限られる場合がある。かかる場合であっても、上記のように構成することで、作業者はリモコン本体１０の正面側から解除用工具Ｔを用いて係止の解除を行うことが可能となる、言い換えると、紙巻器の設置位置などの影響を受けずに係止の解除を行うことが可能となり、よってリモコン装置３のメンテナンス性をより向上させることができる。
【０１０２】
また、本実施形態にあっては、第２固定部６０がスリット６５を備えることから、解除用工具Ｔを挿入すべき位置（すなわち、係止部４２の位置）が作業者にとって分かり易くなり、結果としてメンテナンス性をより一層向上させることができる。
【０１０３】
また、本実施形態に係る固定部３０は、リモコン本体１０および保持部２０とは別体に構成されることから、リモコン装置３の汎用性を向上させることができる。すなわち、例えば、リモコン装置３が一般の住宅に設置される場合、盗難の可能性が低いことから、リモコン本体１０を保持部２０に固定しなくてもよいことがある。
【０１０４】
そこで、本実施形態にあっては、固定部３０をリモコン本体１０等とは別体とすることで、例えば公共施設等では固定部３０を用いてリモコン本体１０の固定が行われる一方、一般の住宅では固定部３０を除去してリモコン本体１０の固定が行われないようにすることができる構成とした。これにより、例えば公共施設用と住宅用とでリモコン本体１０および保持部２０を共用化させることができ、リモコン装置３の汎用性を向上させることができる。
【０１０５】
また、本実施形態に係る固定部３０にあっては、係止部４２と被係止部６６との係止が解除された状態のとき、リモコン本体１０や保持部２０への装着が維持されるようにした。これにより、固定部３０である第１固定部４０や第２固定部６０の紛失を抑制することができる。ここで、保持部２０への装着が維持される第１固定部４０について図１７を参照して説明する。
【０１０６】
図１７は、第１固定部４０が保持部２０へ装着された状態を示す拡大背面図である。なお、図１７では、第１固定部４０の係止部４２は、被係止部６６との係止が解除されて、リモコン本体１０が保持部２０から取り外された状態を示している。
【０１０７】
図１７に示すように、第１固定部４０は、被係止部６６との係止が解除されてリモコン本体１０が取り外された状態のときであっても、係止爪４８が保持部側被係止部２５に係止される、言い換えると、保持部２０への装着が維持されるように構成される。このように、第１固定部４０は、係止部４２と被係止部６６との係止が解除されてリモコン本体１０と保持部２０とが固定されていない状態のときであっても、保持部２０へ装着されたままとなることから、第１固定部４０の紛失を抑制することができる。
【０１０８】
また、第２固定部６０にあっては、図１２に示すように、突起部６２が本体側挿入穴１６に圧入されるため、係止部４２と被係止部６６との係止が解除されてリモコン本体１０が取り外された状態のときであっても、リモコン本体１０への装着が維持されるように構成される。このように、第２固定部６０は、係止部４２と被係止部６６との係止が解除されてリモコン本体１０と保持部２０とが固定されていない状態のときであっても、リモコン本体１０へ装着されたままとなることから、第２固定部６０の紛失を抑制することができる。
【０１０９】
上述してきたように、第１の実施形態に係るリモコン装置３は、リモコン本体１０と、保持部２０と、固定部３０とを備える。リモコン本体１０は、機器（例えば便器洗浄装置６や便座装置７）を遠隔制御する。保持部２０は、壁面Ｗに固定されるとともに、リモコン本体１０を着脱可能に保持する。固定部３０は、リモコン本体１０および保持部２０の一方側に設けられる係止部４２と、他方側に設けられて係止部４２が係止可能な被係止部６６とを含み、係止部４２が被係止部６６に係止されることでリモコン本体１０を保持部２０に対して固定する。
【０１１０】
また、固定部３０は、係止部４２と被係止部６６との係止部分Ａがリモコン本体１０の正面視において隠れる位置に配置されるように形成される。これにより、リモコン装置３において、盗難の防止を図りつつ、メンテナンス性を向上させることができる。
【０１１１】
（第１変形例）
次に、第１変形例について説明する。なお、以下の説明では、既に説明した部分と同様の部分については、既に説明した部分と同一の符号を付し、重複する説明を省略する。
【０１１２】
上記した第１の実施形態に係る第１固定部４０にあっては、保持部２０に装着された状態のときに、上下方向にスライド可能となるように構成されるが（図１３の矢印Ｄ３参照）、これに限定されるものではない。
【０１１３】
図１８は、第１変形例に係る第１固定部４０が保持部２０へ装着された状態を示す拡大背面図である。図１８に示すように、第１変形例において、保持部側被係止部２５は、保持部側凹部２４の上方付近に形成される。別言すれば、保持部側被係止部２５は、係止爪４８が係止されて第１固定部４０が保持部２０に装着された状態のとき、第１固定部４０が上下方向（Ｚ軸方向）にスライドしないような位置に形成される。
【０１１４】
第１変形例では、第１固定部４０が上下方向にスライドしないため、リモコン本体１０を保持部２０から取り外す場合（図１６参照）、第１固定部４０を下方へ移動させることができない。そこで、第１変形例では、係止部４２と被係止部６６との係止が解除され状態で、リモコン装置３が作業者によって上方へ移動させられることで（図１６の二点鎖線矢印Ｄ７参照）、保持部２０から取り外される。
【０１１５】
上記した第１変形例に係るリモコン装置３にあっては、第１の実施形態と同様、盗難の防止を図りつつ、メンテナンス性を向上させることができる。
【０１１６】
（第２変形例）
次に、第２変形例について説明する。図１９は、第２変形例に係る第１固定部４０の斜視図である。図１９に示すように、第２変形例に係る第１固定部４０にあっては、凸部５１を備える一方、第１の実施形態における装着用係止部４７が除去される。
【０１１７】
凸部５１は、基部４１の上端部４１ａから上方（Ｚ軸正方向）へ向けて立設される、薄板状の部位である。凸部５１は、保持部２０の保持部側凹部２４（図１３参照）に挿入可能な形状とされる。
【０１１８】
従って、第２変形例にあっては、図示は省略するが、第２固定部６０が装着されたリモコン本体１０が保持部２０に保持された状態で、第１固定部４０が保持部２０に装着される。詳しくは、第１固定部４０は、凸部５１が保持部側凹部２４に挿入されつつ保持部２０に装着される。このとき、係止部４２が被係止部６６に係止されることで、リモコン本体１０が保持部２０に固定されることとなる。
【０１１９】
第２変形例に係る第１固定部４０にあっては、簡易な構成でありながら、保持部２０に装着されて、リモコン本体１０を保持部２０に固定することができる。
【０１２０】
（第２の実施形態）
次に、第２の実施形態に係るリモコン装置１０３について図２０以降を参照して説明する。なお、第２の実施形態において、第１の実施形態の構成と対応する構成は、符号の先頭に「１」を付して説明することがある。
【０１２１】
図２０は、第２の実施形態に係るリモコン装置１０３の正面図であり、図２１はリモコン装置１０３の背面図である。図２０および図２１に示すように、リモコン装置１０３において、リモコン本体１０および保持部２０は、リモコン本体１０および保持部２０の下方に配置される固定部１３０によって固定される。なお、リモコン本体１０、保持部２０および固定部１３０は、可撓性を有する材料（例えば樹脂など）を用いて製作される。
【０１２２】
固定部１３０において、第１固定部１４０は、保持部２０に一体に形成される。また、第２固定部１６０（図２０で見えず）は、リモコン本体１０に一体に形成される。
【０１２３】
先ず、第１固定部１４０について図２２および図２３を参照して説明する。図２２は、第１固定部１４０の正面図であり、図２３は図２２のXXIII−XXIII線断面図である。
【０１２４】
図２２および図２３に示すように、第１固定部１４０は、係止部１４２と、突出部１５４とを備える。係止部１４２は、係止爪１４３と、支柱部１４４と、押圧部１５３とを備え、保持部２０の下端部２０ｃ付近に形成される切欠き部１５５（図２２参照）に位置するように形成される。なお、かかる切欠き部１５５は、第１固定部１４０と第２固定部１６０（図２４参照）とが組み付けられる際に、後述する第２固定部１６０の被ガイド部１７０（図２４参照）が通って第２固定部１６０を案内する部位として機能する。
【０１２５】
係止爪１４３は、図２３に示すように、前方（Ｙ軸正方向）へ向かって突設される。支柱部１４４は、上記した係止爪１４３を支持する。例えば、支柱部１４４は、切欠き部１５５の上方側の周縁から下方（Ｚ軸負方向）へ向けて立設され、支柱部１４４の先端に係止爪１４３が形成される。係止部１４２を含む第１固定部１４０は、上記したように可撓性を有する材料を用いて製作されることから、支柱部１４４は、例えば、前後方向に撓むことが可能、言い換えると、前後方向に弾性変形可能とされる。
【０１２６】
押圧部１５３は、係止爪１４３から下方（Ｚ軸負方向）へ向けて延在され、後述するように、解除用工具Ｔ（図２７参照）によって押圧される部位である。かかる押圧部１５３は、図２０に示すように、リモコン本体１０と保持部２０とが固定された状態のとき、正面視においてリモコン本体１０の下方から僅かに見える形状とされるが、これに限られず、正面視においてリモコン本体１０の下方から見えない形状、すなわち、隠れる位置となるような形状とされてもよい。なお、係止爪１４３および支柱部１４４はともに、リモコン本体１０と保持部２０とが固定された状態のとき、正面視においてリモコン本体１０に隠れる位置となるような形状とされる。
【０１２７】
突出部１５４は、第１固定部１４０と第２固定部１６０（図２４参照）とが組み付けられる際に、後述する第２固定部１６０の被ガイド部１７０（図２４参照）を所定の位置に固定する部位である。例えば、突出部１５４は、切欠き部１５５の左右側の周縁から中央側へ向けて突設される。
【０１２８】
次に、第２固定部１６０について図２４を参照して説明する。図２４は、第２固定部１６０の背面側の斜視図である。
【０１２９】
図２４に示すように、第２固定部１６０は、リモコン本体１０の筐体１１の背面１１ｂであって、筐体１１の下端部１１ｃ付近に形成される。具体的には、第２固定部１６０は、被係止部１６６と、被ガイド部１７０とを備える。
【０１３０】
被係止部１６６は、筐体１１の背面１１ｂからＹ軸負方向である後方へ向けて立設される。例えば、被係止部１６６は、薄板状に形成されるが、被係止部１６６の形状はこれに限定されるものではない。
【０１３１】
上記のように構成された被係止部１６６には、後述するように、第１固定部１４０の係止部１４２（正確には係止爪１４３）が係止され、これによってリモコン本体１０が保持部２０に対して固定される。
【０１３２】
被ガイド部１７０は、上記したように、第１固定部１４０の切欠き部１５５によって案内される部位である。具体的には、被ガイド部１７０は、被係止部１６６を挟んで左右両側に形成される。被ガイド部１７０は、上下方向に延在するレール部１７０ａと、レール部１７０ａの上端付近から後方（Ｙ軸負方向）へ向けて突設される鍵状のフック部１７０ｂとを備える。上記のように構成された被ガイド部１７０は、第１固定部１４０の切欠き部１５５（図２２参照）を移動させられることで案内されるとともに、第１固定部１４０の突出部１５４（図２２参照）をレール部１７０ａに沿うように移動させた後にフック部１７０ｂに当接させることで所定の位置に固定される。なお、上記した被ガイド部１７０の形状は、あくまでも例示であって限定されるものではない。
【０１３３】
なお、第２固定部１６０は、上記したように筐体１１の背面１１ｂに形成されることから、被係止部１６６および被ガイド部１７０はともに、リモコン本体１０と保持部２０とが固定された状態のとき、正面視においてリモコン本体１０に隠れる位置となる。
【０１３４】
次に、保持部２０に形成される第１固定部１４０とリモコン本体１０に形成される第２固定部１６０との組み付けについて図２５および図２６を参照して説明する。図２５は、第１固定部１４０と第２固定部１６０との組み付け途中の状態を示す拡大断面図であり、また、図２６は、第１固定部１４０と第２固定部１６０とが組み付けられた状態を示す拡大断面図である。
【０１３５】
図２５に示すように、第１固定部１４０と第２固定部１６０とは、リモコン本体１０を保持部２０に対して下方へ移動させることで、組み付けられる。具体的には、例えば、保持部２０の正面側とリモコン本体１０の背面側とが合わせられた状態で、第２固定部１６０が形成されるリモコン本体１０は、第１固定部１４０が形成される保持部２０に向けて下方へ移動させられる（矢印Ｄ１０参照）。なお、かかる移動の際、第２固定部１６０は、上記したように、被ガイド部１７０が切欠き部１５５を通ることで案内される。
【０１３６】
そして、第２固定部１６０が移動させられると、図２５に示すように、被係止部１６６が係止部１４２の係止爪１４３に当接する。第２固定部１６０がさらに移動させられると、係止部１４２にあっては、想像線で示すように、係止爪１４３が被係止部１６６に押圧されて支柱部１４４が後方（Ｙ軸負方向）に変形する。
【０１３７】
続いて、第２固定部１６０がさらに移動させられると、図２６に示すように、被係止部１６６が係止爪１４３を通過して支柱部１４４が元の形に戻り（弾性変形し）、係止爪１４３が被係止部１６６に係止される。なお、係止爪１４３が被係止部１６６に係止される際、第２固定部１６０は、上記したように、被ガイド部１７０のフック部１７０ｂと突出部１５４とが当接し、これによって所定の位置に固定される。
【０１３８】
このように、第２の実施形態に係る固定部１３０にあっては、係止部１４２が被係止部１６６に係止されることで、リモコン本体１０を保持部２０に対して固定する。なお、図２６では、係止部１４２と被係止部１６６との係止部分Ｂを破線で囲んで示している。
【０１３９】
上記したように、係止爪１４３や被係止部１６６は、リモコン本体１０の正面視において隠れて見えない位置とされるため、係止部１４２と被係止部１６６との係止部分Ｂも、リモコン本体１０の正面視において隠れる位置に配置されることとなる（図２０参照）。
【０１４０】
これにより、第２の実施形態に係るリモコン装置１０３にあっては、第１の実施形態と同様、例えばリモコン本体１０の盗難の防止を図ることができる。
【０１４１】
次に、リモコン本体１０の保持部２０からの取り外しについて図２７を参照して説明する。図２７は、リモコン本体１０の保持部２０からの取り外しを説明する図である。なお、図２７は、第１、第２固定部１４０，１６０などの拡大断面図である。
【０１４２】
図２７に示すように、リモコン本体１０は、係止部１４２と被係止部１６６との係止が解除されることで、保持部２０から取り外される。具体的には、作業者によって解除用工具Ｔがリモコン本体１０の正面側から後方へ向けて移動させられ（矢印Ｄ１１参照）、係止部１４２の押圧部１５３に当接する。
【０１４３】
続いて、解除用工具Ｔが後方へさらに移動させられると、押圧部１５３を含む係止部１４２は、図２７に想像線で示すように、解除用工具Ｔによって押圧されて後方へ撓み、これによって被係止部６６との係止が解除される。
【０１４４】
そして、係止部４２と被係止部６６との係止が解除された状態で、リモコン本体１０が作業者によって上方へ移動させられて（矢印Ｄ１２参照）、保持部２０から取り外される。そして、例えばリモコン装置１０３の電池交換などのメンテナンス作業が行われる。
【０１４５】
このように、第２の実施形態に係る固定部１３０にあっては、係止部１４２が被係止部１６６に係止されることでリモコン本体１０を保持部２０に対して固定していることから、リモコン本体１０を保持部２０から取り外す際、係止部１４２と被係止部１６６との係合を解除するだけでよい。そのため、第２の実施形態にあっては、作業者の負担をネジを着脱する作業に比べて軽減でき、よってリモコン装置１０３のメンテナンス性を向上させることができる。
【０１４６】
なお、上記した各実施形態および各変形例では、リモコン装置３，１０３がトイレ室Ｒに設けられる場合を例にとって説明したが、これに限定されるものではない。すなわち、例えば、リモコン装置３，１０３は、洗面所やキッチンといった水回り空間に設けられて、自動水栓装置等の水回り機器を遠隔制御するようにしてもよい。
【０１４７】
また、上記した各実施形態および各変形例では、保持部２０に係止部４２，１４２が設けられる一方、リモコン本体１０に被係止部６６，１６６が設けられるようにしたが、これに限定されるものではない。すなわち、例えばリモコン本体１０に係止部４２，１４２が設けられる一方、保持部２０に被係止部６６，１６６が設けられるようにしてもよい。このように、係止部４２，１４２は、リモコン本体１０および保持部２０の一方側に設けられ、被係止部６６，１６６が他方側に設けられてもよい。
【０１４８】
また、上記では、第１の実施形態に係る第２固定部６０において、突起部６２が本体側挿入穴１６に圧入されることで、リモコン本体１０へ装着されるようにしたが、これに限定されるものではない。すなわち、第２固定部６０は、突起部６２の本体側挿入穴１６への圧入に代えて、例えばネジなどを用いてリモコン本体１０へ装着されてもよい。
【０１４９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５０】
３，１０３  リモコン装置
６  便器洗浄装置
７  便座装置
１０  リモコン本体
２０  保持部
３０，１３０  固定部
４０，１４０  第１固定部
４２，１４２  係止部
４３，１４３  係止爪
４４，１４４  支柱部
６０，１６０  第２固定部
６５  スリット
６６，１６６  被係止部
【図１】
2019178591.tif 000003
【図２】
2019178591.tif 000004
【図３】
2019178591.tif 000005
【図４】
2019178591.tif 000006
【図５】
2019178591.tif 000007
【図６】
2019178591.tif 000008
【図７】
2019178591.tif 000009
【図８】
2019178591.tif 000010
【図９】
2019178591.tif 000011
【図１０】
2019178591.tif 000012
【図１１】
2019178591.tif 000013
【図１２】
2019178591.tif 000014
【図１３】
2019178591.tif 000015
【図１４】
2019178591.tif 000016
【図１５】
2019178591.tif 000017
【図１６】
2019178591.tif 000018
【図１７】
2019178591.tif 000019
【図１８】
2019178591.tif 000020
【図１９】
2019178591.tif 000021
【図２０】
2019178591.tif 000022
【図２１】
2019178591.tif 000023
【図２２】
2019178591.tif 000024
【図２３】
2019178591.tif 000025
【図２４】
2019178591.tif 000026
【図２５】
2019178591.tif 000027
【図２６】
2019178591.tif 000028
【図２７】
2019178591.tif 000029